(57)【要約】【課題】本発明は  ダーツの重量と重心位置を一定の範囲内で任意に変更する事が可能なダーツを提供することを目的とする。【解決手段】チップ２とバレル３とシャフト７とフライト８とから構成されるダーツ１において、前記バレル３を筒状に形成し、この筒状に形成したバレル３の内部３ａの任意な位置へ着脱可能に錘４ａ、４ｂ、４ｃ、４ｄを装填する構成とした。また、これらの錘４ａ、４ｂ、４ｃ、４ｄは、前記バレル３の内部３ａへ着脱可能に装填するスペーサー５ａ、５ｂ、５ｃや弾性体スペーサー６ａ、６ｂによって装填位置を保持する。【選択図】図１
2007202893.tif 000002
【特許請求の範囲】
【請求項１】
チップとバレルとシャフトとフライトとから構成されるダーツにおいて、前記バレルを筒状に形成し、この筒状に形成したバレルの内部の任意な位置へ着脱可能に錘を装填する構成としたことを特徴とするダーツ。
【請求項２】
前記筒状に形成したバレルの内部の任意な位置へ装填する錘は、複数の錘を組み合わせてなることを特徴とする請求項１記載のダーツ。
【請求項３】
前記筒状に形成したバレルの内部の任意な位置へ装填する錘は、このバレルの内部へ着脱可能に装填するスペーサーによって装填位置を保持することを特徴とする請求項１乃至２記載のダーツ。
【請求項４】
前記スペーサーは弾性を備えた材料で形成された弾性体スペーサーであることを特徴とする請求項３記載のダーツ。
【請求項５】
前記筒状に形成したバレルの内部の任意な位置へ装填する錘は、このバレルの内部へ着脱可能に装填する前記スペーサーと前記弾性体スペーサーとによって装填位置を保持することを特徴とする請求項１乃至２記載のダーツ。
【発明の詳細な説明】
【技術分野】
【０００１】
本願発明は、ダーツゲームやダーツ競技に用いられるダーツに関し、特にダーツの投げやすさに大きな影響を与えるダーツの重量と重心に関する。
【背景技術】
【０００２】
従来、ゲームプレイヤー（以降はプレイヤーと略す）やダーツ競技者（以降は競技者と略す）が手に持って投げる矢、若しくはこの矢をダーツボードと呼ばれる的に向かって刺し、刺さった部位に応じた得点を競い合うゲームや競技としてダーツが知られている。以下、特段の説明を行わない限り、本願明細書においてダーツとはこの矢自体を意味するものとして説明するが、このダーツは、先端からチップ、バレル、シャフト、フライトという各部材で構成されている。
【０００３】
一般に、ダーツの持ち方や投げ方は個人によって様々であり、例えば身長や体重などがほぼ同じプレイヤー同士であっても、その投げ方は必ずしも同じとはいえない。また、形状が同じダーツを用いても、プレイヤー毎にダーツの重量や重心位置に好みがあり、それぞれに最適なダーツの重量や重心位置は微妙に異なることとなる。まして、ダーツの重量や全長が規定された中で高度な技能を必要とするダーツ競技においては、ダーツの重量や重心位置のバランスが如何に重要視されるかは容易に窺い知ることが出来る。しかし、一般に流通しているダーツはその重量や重心位置が固定されており容易に変更することが出来るものではない。また、チップとバレルの間、又はバレルとシャフトの間に荷重片を取り付けて重量を増すことは一部に利用されているが、ダーツの全長が長くなってしまうといった問題があり、また、重量を微妙に増減できるものではなく、その重心位置も思い通りに変更することが出来ないといった問題があった。こうしたことから、プレイヤーや競技者が最適な重量と重心位置を備えたダーツを探し当てるためには、数多くの種類のダーツを実際に利用してみることが必要となるが、これ行うには数多くのダーツを購入する、或いは他者から出来るだけ数多く借り受けるなどによって入手しなければならないため、多くの労力と経済的負担が必要になるといった問題を抱えていた。
【０００４】
【特許文献１】特開２００４−２４２９３７号公報
【発明の開示】
【発明が解決しようとする課題】
【０００５】
本願発明は以上のような従来の欠点に鑑みて成されたもので、ダーツの重量と重心位置を一定の範囲内で任意に変更する事が可能なダーツを提供することを目的とする。
【課題を解決するための手段】
【０００６】
上記目的を達成するために、本願発明の請求項１に係るダーツは、チップとバレルとシャフトとフライトとから構成されるダーツにおいて、前記バレルを筒状に形成し、この筒状に形成したバレルの内部の任意な位置へ着脱可能に錘を装填する構成としたことを特徴とする。
【０００７】
請求項１の構成によれば、このダーツは、チップとバレルとシャフトとフライトとから構成されるダーツにおいて、前記バレルを筒状に形成したことにより、この筒状に形成したバレルの内部を中空とすることが出来るので、この中空となったバレルの内部の任意な位置へ錘を着脱可能に装填することが出来る。
【０００８】
本願発明の請求項２に係るダーツは、請求項１記載のダーツにおいて、前記筒状に形成したバレルの内部の任意な位置へ装填する錘は、複数の錘を組み合わせてなることを特徴とする。
【０００９】
請求項２の構成によれば、このダーツは、前記中空となったバレルの内部の任意な位置へ複数の錘を組み合わせて着脱可能に装填することが出来る。
【００１０】
本願発明の請求項３に係るダーツは、請求項１乃至２記載のダーツにおいて、前記筒状に形成したバレルの内部の任意な位置へ装填する錘は、このバレルの内部へ着脱可能に装填するスペーサーによって装填位置を保持することを特徴とする。
【００１１】
請求項３の構成によれば、このダーツは、前記中空となったバレルの内部の任意な位置へ装填する錘の装填位置を、このバレルの内部へ着脱可能に装填するスペーサーによって保持することが出来る。
【００１２】
本願発明の請求項４に係るダーツは、請求項３記載のダーツにおいて、前記スペーサーは弾性を備えた材料で形成された弾性体スペーサーであることを特徴とする。
【００１３】
請求項４の構成によれば、このダーツは、前記中空となったバレルの内部の任意な位置へ装填する錘の装填位置を、このバレルの内部へ着脱可能に装填する弾性体スペーサーによって付勢される反発力により確実に保持することが出来る。
【００１４】
本願発明の請求項５に係るダーツは、請求項１乃至２記載のダーツにおいて、前記筒状に形成したバレルの内部の任意な位置へ装填する錘は、このバレルの内部へ着脱可能に装填する前記スペーサーと前記弾性体スペーサーとによって装填位置を保持することを特徴とする。
【００１５】
請求項５の構成によれば、このダーツは、前記中空となったバレルの内部の任意な位置へ装填する錘の装填位置を、このバレルの内部へ着脱可能に装填するスペーサーと弾性体スペーサーとによって確実に保持することが出来る。
【発明の効果】
【００１６】
請求項１に係るダーツの発明によれば、このダーツは、バレルを筒状に形成したことにより、この筒状に形成したバレルの内部を中空とすることが出来るので、この中空となったバレルの内部の任意な位置へ錘を着脱可能に装填することが出来る。これにより、ダーツの全長を変えることなくその重量を装填する錘の重量分だけ増やすことが出来ると共に、比重や形状などの違によって重量の異なる他の錘と容易に交換することが出来る。従って、プレイヤーや競技者は、任意の重量の錘をバレルの内部へ装填することにより、ダーツの重量の調整を容易に行うことが出来ると共に、前記調整によって任意の重量を備えたダーツを容易に得ることが出来る。
【００１７】
請求項２に係るダーツの発明によれば、このダーツは、前記中空となったバレルの内部の任意な位置へ複数の錘を組み合わせて着脱可能に装填することが出来る。これにより、ダーツの全長を変えることなくその重量を前記組み合わせて装填する複数の錘の重量分だけ増やすことが出来ると共に、比重の異なる材料で形成されたことによって重量が異なる複数の錘、或いは形状の違いなどによって重量が異なる複数の錘の組み合わせ方とそれぞれの配置を変えて交換することが出来る。従って、プレイヤーや競技者は、これら重量の異なる複数の錘の組み合わせと配置によって得られた任意の組み合わせと配置による錘をバレルの内部へ装填することにより、ダーツの重量の微調整を容易に行うことが出来ると共に、比重や形状などが異なる複数の錘の配置の仕方に応じて多様な重心位置の微調整を容易に行うことが出来るので、前記微調整によって最適な重量と重心位置とを備えたダーツを容易に得ることが出来る。
【００１８】
請求項３に係るダーツの発明によれば、このダーツは、前記中空となったバレルの内部の任意な位置へ装填する錘の装填位置を、着脱可能に装填するスペーサーによって保持することが出来る。これにより、ダーツの全長を変えることなくその重量を装填する錘の重量分だけ増やすことが出来ると共に、比重や形状などの違によって重量の異なる他の錘と交換することが出来る。また、同様にダーツの全長を変えることなくその重量を前記組み合わせて装填する複数の錘の重量分だけ増やすことが出来ると共に、比重の異なる材料で形成されたことによって重量が異なる複数の錘、或いは形状の違いなどによって重量が異なる複数の錘の組み合わせ方とそれぞれの配置を変えて交換することが出来る。更に、これらの錘の装填位置を着脱可能に装填するスペーサーによって保持することが出来るので、これらの錘とこのスペーサーとの配置を変えることによりダーツの全長を変えることなくその重量を容易に変更することが出来る。更に、前記重量の異なる複数の錘とこのスペーサーとの装填位置を変えることによりダーツの重量と重心位置の微調整を容易に行うことが出来ると共に、前記微調整によって最適な重心位置のダーツを容易に得ることが出来る。従って、プレイヤーや競技者は、前記ダーツの重量の微調整と重心位置の微調整が同時に、且つ容易に行うことが出来ると共に、装填された錘がバレルの内部で移動することを抑止することが出来るので、前記任意の重量が得られた所定の重量の錘と、前記任意の重心位置が得られた所定の装填位置にスペーサーとを配置してバレルの内部へ装填することにより、最適な重量と最適で且つ安定した重心位置とを備えたダーツを容易に得ることが出来る。
【００１９】
請求項４に係るダーツの発明によれば、このダーツは、前記中空となったバレルの内部の任意な位置へ装填する錘の装填位置を、着脱可能に装填する弾性体スペーサーによって付勢される反発力により確実に保持することが出来る。これにより、ダーツの全長を変えることなくその重量を装填する錘の重量分だけ増やすことが出来ると共に、比重や形状などの違によって重量の異なる他の錘と交換することが出来る。また、同様にダーツの全長を変えることなくその重量を前記組み合わせて装填する複数の錘の重量分だけ増やすことが出来ると共に、比重の異なる材料で形成されたことによって重量が異なる複数の錘、或いは形状の違いなどによって重量が異なる複数の錘の組み合わせ方とそれぞれの配置を変えて交換することが出来る。更に、これらの錘の装填位置を着脱可能に装填する弾性体スペーサーによって付勢される反発力により確実に保持することが出来るので、これらの錘とこの弾性体スペーサーとの配置を変えることによりダーツの全長を変えることなくその重量を容易に変更することが出来る。更に、前記重量の異なる複数の錘とこの弾性体スペーサーとの装填位置を変えることによりダーツの重量と重心位置の微調整を容易に行うことが出来ると共に、前記微調整によって最適な重心位置のダーツを容易に得ることが出来る。従って、プレイヤーや競技者は、前記ダーツの重量の微調整と重心位置の微調整が同時に、且つ容易に行うことが出来ると共に、装填された錘がバレルの内部で移動することを確実に抑止することが出来るので、前記任意の重量が得られた所定の重量の錘と、前記任意の重心位置が得られた所定の装填位置に弾性体スペーサーとを配置してバレルの内部へ装填することにより、最適な重量と最適で且つ安定した重心位置とを備えたダーツを容易に得ることが出来る。
【００２０】
請求項５に係るダーツの発明によれば、このダーツは、前記中空となったバレルの内部の任意な位置へ装填した錘の装填位置を、このバレルの内部へ着脱可能に装填するスペーサーと弾性体スペーサーとによって確実に保持することが出来る。これにより、ダーツの全長を変えることなくその重量を装填する錘の重量分だけ増やすことが出来ると共に、比重や形状などの違によって重量の異なる他の錘と交換することが出来る。また、同様にダーツの全長を変えることなくその重量を前記組み合わせて装填する複数の錘の重量分だけ増やすことが出来ると共に、比重の異なる材料で形成されたことによって重量が異なる複数の錘、或いは形状の違いなどによって重量が異なる複数の錘の組み合わせ方とそれぞれの配置を変えて交換することが出来る。更に、これらの錘の装填位置を着脱可能に装填するスペーサーと弾性体スペーサーによって付勢される反発力とにより確実に保持することが出来るので、これらの錘とこのスペーサーと弾性体スペーサーとの配置を変えることによりダーツの全長を変えることなくその重量を容易に変更することが出来る。更に、前記重量の異なる複数の錘とこのスペーサーと弾性体スペーサーとの装填位置を変えることによりダーツの重量と重心位置の微調整を容易に行うことが出来ると共に、前記微調整によって最適な重心位置のダーツを容易に得ることが出来る。従って、プレイヤーや競技者は、前記ダーツの重量の微調整と重心位置の微調整が同時に、且つ容易に行うことが出来ると共に、装填された錘がバレルの内部で移動することを確実に抑止することが出来るので、前記任意の重量が得られた所定の重量の錘と、前記任意の重心位置が得られた所定の装填位置にスペーサー弾性体スペーサーとを配置してバレルの内部へ装填することにより、最適な重量と最適で且つ安定した重心位置とを備えたダーツを容易に得ることが出来るので、従来のようにプレイヤーや競技者が最適な重量と重心位置を備えたダーツを探し当てるために、数多くの種類のダーツを実際に利用してみることが必要として、数多くのダーツを購入する。或いは他者から出来るだけ数多く借り受けるなどにより、多くの労力と経済的負担が必要になるといった問題も解消することが出来る。更に、プレイヤーや競技者にとって不要に全長が変わることなく最適な重量と重心位置とを備えたダーツを容易に入手することが出来ることにより、この最適なダーツを用いることで高得点が得やすくなるといった利点が生ずる。
【発明を実施するための最良の形態】
【００２１】
以下、本願発明を実施するための最良の形態として複数の実施例を図１〜図５により以下に説明する。もちろん、本願発明は、その発明の趣旨に反しない範囲で、実施例において説明する以外の構成のものに対しても容易に適用可能なことは説明を要するまでもない。また、図面はもっぱら解説のためのものであって、本願発明の技術的範囲を限定するものではない。
【実施例１】
【００２２】
図２は本願発明の第一実施例を示すダーツの概観斜視図である。図２において、１はダーツを示しており、このダーツ１はその先端から、図示しないダーツボードに刺さるチップ２、ダーツ1の胴体前部でダーツ１の重心位置となりプレイヤーや競技者が手に持つところであるバレル３、ダーツ1の胴体後部となるシャフト７、前記シャフト７の後部にダーツ１の飛翔安定性を確保する矢羽根状のフライト８を有し、これら各部材を結合させることによって１本のダーツ１を構成している。
【００２３】
続いて図３に示す断面図により、前述のダーツ１の詳細について説明する。図３において、このダーツ１はその先端にプラスチックからなるチップ２が配置されており、このチップ２の後端部には雄ねじ２１が形成され、タングステン合金を筒状に形成したバレル３の先端部には雌ねじ３１が形成され、この雌ねじ３１と前記チップ２の雄ねじ２１とが螺合している。更に、このバレル３の後端部に形成された雌ねじ３２はプラスチックからなるシャフト７の先端部に形成された雄ねじ７１と螺合しており、このダーツ１は前記バレル３の先端部、或いは後端部でチップ２、或いはシャフト７との螺合を解除してここから前記筒状に形成されたバレル３の内部３ａの任意な位置へ円柱形をなした重量の異なる４個の錘４ａ、４ｂ、４ｃ、４ｄと、円柱形をなした１個のスペーサー５ａとを装填し、前記螺合を解除した部位を再度螺合により結合させることによってダーツ１を組み立てることが出来る。また、このシャフト７の後端部にはプラスチック薄板からなるフライト８が前述のように結合されている。
【００２４】
このダーツ１のバレル３は円筒状に形成してあり、その内部３ａは内径がφ４．０ｍｍで、奥行きが３０．２ｍｍの貫通孔により中空に形成されている。前記中空に形成されたバレル３の内部３ａには、前記４個の錘４ａ、４ｂ、４ｃ、４ｄの任意な装填位置の一例として、ダーツ１の先端側に外径がφ３．９ｍｍ、全長が２．９ｍｍで重量が０．６グラムの錘４ａが１個、その後端には同様に全長が３．９ｍｍで重量が０．８グラムの錘４ｂが１個、その後端には全長が４．９ｍｍで重量が１．０グラムの錘４ｃが１個、更にその後端には全長が５．９ｍｍで重量が１．２グラムの錘４ｄが１個、それぞれ比重１７．０のタングステン合金で形成され装填配置されている。更に前記１．２グラムの錘４ｄの後端には、バレル３の内径と同径である外径がφ４．０ｍｍで全長が１２．４ｍｍの硬質ウレタンフォームからなる１個のスペーサー５ａが、バレル３の内壁３ｂと嵌合しながら装填されている。
【００２５】
従って、この４個の錘４ａ、４ｂ、４ｃ、４ｄとスペーサー５ａとを合わせた長さはバレル３の内部３ａを概ね埋める３０．０ｍｍとなる。これら長さが異なることで重量が異なる４個の錘４ａ、４ｂ、４ｃ、４ｄと１個のスペーサー５ａとは前記雄ねじ２１、７１と雌ねじ３１、３２の螺合により着脱可能にバレル３の内部３ａへ装填されている。これにより、ダーツ１は前記０．６グラムの錘４ａと、０．８グラムの錘４ｂと、１．０グラムの錘４ｃと、１．２グラムの錘４ｄとを合わせた３．６グラム分だけ重量を増すことが出来ると共に、前記ダーツ１はその後端側となるバレル３の内部３ａの最後端に重量が軽いスペーサー５ａを配置したことにより、ダーツ１の重心を先端側へ移動させている。
【００２６】
以上のようにこのダーツ１は、前記中空となったバレル３の内部３ａへ装填する複数の錘４ａ、４ｂ、４ｃ、４ｄの装填位置を、バレル３の内壁３ｂと嵌合しながら着脱可能に装填するスペーサー５ａによって安定して保持することが出来ると共に、ダーツ１の全長を変えることなくその重量を、装填する複数の錘４ａ、４ｂ、４ｃ、４ｄの重量分だけ増やすことが出来る。また、前記スペーサー５ａの装填位置は前記バレル３の内部３ａの最後端に限定されるものではなく、例えば前記重量の異なる複数の錘４ａ、４ｂ、４ｃ、４ｄのいずれかの間や、バレル３の内部３ａの最先端にこのスペーサー５ａを配置させるなど、前記重量の異なる複数の錘４ａ、４ｂ、４ｃ、４ｄやスペーサー５ａの装填位置を任意な位置へ変えることによりダーツ１の重量と重心位置の微調整を容易に行うことが出来る。
【００２７】
従って、プレイヤーや競技者は、前記ダーツ１の重量の微調整と重心位置の微調整が同時に、且つ容易に行うことが出来ると共に、装填された錘４ａ、４ｂ、４ｃ、４ｄがバレル３の内部３ａで移動することを抑止することが出来るので、前記任意の重量が得られた所定の重量の錘４ａ、４ｂ、４ｃ、４ｄと、前記任意の重心位置が得られた所定の装填位置にスペーサー５ａとを配置してバレル３の内部３ａへ装填することにより、最適な重量と最適で且つ安定した重心位置とを備えたダーツ１を容易に得ることが出来る。
【実施例２】
【００２８】
続いて、図４により本願発明の第二実施例について説明する。本実施例においては、前述の第一実施例におけるダーツ１と重量を同じとしながら重心位置だけを後端側へ移動させる方法について説明する。図４はバレル３の内部３ａへ重量の異なる４個の錘４ａ、４ｂ、４ｃ、４ｄと１個の弾性体スペーサー６ａとを装填したダーツ１の断面図である。このダーツ１は前述の第一実施例と同様に、バレル３は円筒状に形成してあり、その内部３ａは内径がφ４．０ｍｍで、奥行きが３０．２ｍｍの貫通孔により中空に形成されている。前記中空に形成されたバレル３の内部３ａには、前記４個の錘４ａ、４ｂ、４ｃ、４ｄの任意な装填位置の一例として、ダーツ１の先端側に外径がφ３．０ｍｍで全長が１３．０ｍｍの硬質ウレタンフォームからなる１個の弾性体スペーサー６ａが装填されている。その後端には外径がφ３．９ｍｍ、全長が５．９ｍｍで重量が１．２グラムの錘４ｄが１個、その後端には同様に全長が４．９ｍｍで重量が１．０グラムの錘４ｃが１個、その後端には全長が３．９ｍｍで重量が０．８グラムの錘４ｂが１個、更にその後端には全長が２．９ｍｍで重量が０．６グラムの錘４ａが１個、それぞれ比重１７．０のタングステン合金で形成され装填配置されている。
【００２９】
従って、この４個の錘４ａ、４ｂ、４ｃ、４ｄを合わせた長さは１７．６ｍｍであり、バレル３の内部３ａの奥行き３０．２ｍｍとの差、即ち弾性体スペーサー６ａが圧縮されながら装填される長さは１２．６ｍｍとなる。この弾性体スペーサー６ａが圧縮されながら装填される長さ１２．６ｍｍに対して全長が１３．０ｍｍの前記弾性体スペーサー６ａを圧縮させて装填することにより前記５個の錘４ａ、４ｂ、４ｃ、４ｄに対して反発力が付勢され、これらの錘４ａ、４ｂ、４ｃ、４ｄは装填位置を確実に保持することが出来る。また、これら長さが異なることで重量が異なる４個の錘４ａ、４ｂ、４ｃ、４ｄと１個の弾性体スペーサー６ａとは前記雄ねじ２１、７１と雌ねじ３１、３２の螺合により着脱可能にバレル３の内部３ａへ装填されている。これにより、ダーツ１は前述の第一実施例と同く前記０．６グラムの錘４ａと、０．８グラムの錘４ｂと、１．０グラムの錘４ｃと、１．２グラムの錘４ｄとを合わせた３．６グラム分だけ重量を増すことが出来ると共に、前記ダーツ１はバレル3の内部３ａの最先端に重量が軽い弾性体スペーサー６ａを配置したことにより、ダーツ１の重心位置を前述の第一実施例の重心位置より後端側へ移動させている。
【００３０】
以上のようにこのダーツ１は、前記中空となったバレル３の内部３ａへ装填する複数の錘４ａ、４ｂ、４ｃ、４ｄの装填位置を、着脱可能に装填する弾性体スペーサー６ａによって確実に保持することが出来ると共に、ダーツ１の全長を変えることなくその重量を、装填する複数の錘４ａ、４ｂ、４ｃ、４ｄの重量分だけ増やすことが出来る。また、前記弾性体スペーサー６ａの装填位置は前記バレル３の内部３ａの最先端に限定されるものではく、例えば前記重量の異なる複数の錘４ａ、４ｂ、４ｃ、４ｄのいずれかの間や、バレル３の内部３ａの最先端にこの弾性体スペーサー６ａを配置させるなど、前記重量の異なる複数の錘４ａ、４ｂ、４ｃ、４ｄや弾性体スペーサー６ａの装填位置を変えることによりダーツ１の重量と重心位置の微調整を容易に行うことが出来る。
【００３１】
従って、プレイヤーや競技者は、前記ダーツ１の重量の微調整と重心位置の微調整が同時に、且つ容易に行うことが出来ると共に、装填された錘４ａ、４ｂ、４ｃ、４ｄがバレル３の内部３ａで移動することを確実に抑止することが出来るので、前記任意の重量が得られた所定の重量の錘４ａ、４ｂ、４ｃ、４ｄと、前記任意の重心位置が得られた所定の装填位置に弾性体スペーサー６ａとを配置してバレル３の内部３ａへ装填することにより、最適な重量と最適で且つ安定した重心位置とを備えたダーツ１を容易に得ることが出来る。
【実施例３】
【００３２】
次に、図５、図１により本願発明の第三実施例について説明する。本実施例においては、前述の第一、第二実施例と異なり、ダーツ１の重量を減らしながら重心位置を中央側へ移動させる方法について説明する。図５はバレル３の内部３ａへ重量の異なる３個の錘４ａ、４ｂ、４ｃと１個のプラスチックからなるスペーサー５ｂと1個の圧縮コイルばねからなる弾性体スペーサー６ｂとを装填したダーツ１の構成を示す断面図であり、図１はバレル３の内部３ａへ重量の異なる２個の錘４ａ、４ｄと１個のプラスチックからなるスペーサー５ｃと1個の圧縮コイルばねからなる弾性体スペーサー６ｂとを装填したダーツの構成を示す斜視図である。ここで図１に示すダーツ１は、図５に示すダーツ１の重量を軽くするためにバレル３の内部３ａへ装填する錘４の組み合わせを変えたものである。
【００３３】
先ず、図５に示すこのダーツ１は前述の第一実施例と同様に、バレル３は円筒状に形成してあり、その内部３ａは内径がφ４．０ｍｍで、奥行きが３０．２ｍｍの貫通孔により中空に形成されている。前記中空に形成されたバレル３の内部３ａには、前記３個の錘４ａ、４ｂ、４ｃの任意な装填位置の一例として、ダーツ１の先端側に外径がφ３．０ｍｍで全長が１０．０ｍｍの圧縮コイルばねからなる１個の弾性体スペーサー６ｂが装填されている。その後端には外径がφ３．９ｍｍ、全長が３．９ｍｍで重量が０．８グラムの錘４ｂが１個、その後端には同様に全長が４．９ｍｍで重量が１．０グラムの錘４ｃが１個、その後端には全長が２．９ｍｍで重量が０．６グラムの錘４ａが１個、それぞれ比重１７．０のタングステン合金で形成され装填配置されている。更にその後端には外径がφ３．０ｍｍ、全長が９．０ｍｍのプラスチックからなるスペーサー５ｂが装填されている。
【００３４】
従って、この３個の錘４ａ、４ｂ、４ｃを合わせた長さは１１．７ｍｍであり、この長さと、これらの後端に装填されるスペーサー５ｂの長さ９．０ｍｍとを加えた長さは２０．７ｍｍとなる。この２０．７ｍｍとバレル３の内部３ａの奥行き３０．２ｍｍとの差、即ち弾性体スペーサー６ｂが圧縮されながら装填される長さは９．５ｍｍとなる。この弾性体スペーサー６ｂが圧縮されながら装填される長さ９．５ｍｍに対して全長が１０．０ｍｍの前記弾性体スペーサー６ｂを圧縮させて装填することにより前記３個の錘４ａ、４ｂ、４ｃに対して反発力が付勢され、これらの錘４ａ、４ｂ、４ｃは装填位置を確実に保持することが出来る。また、これら長さが異なることで重量が異なる３個の錘４ａ、４ｂ、４ｃと１個のスペーサー５ｂと弾性体スペーサー６ｂとは前記雄ねじ２１、７１と雌ねじ３１、３２の螺合により着脱可能にバレル３の内部３ａへ装填されている。これにより、ダーツ１は前記０．８グラムの錘４ｂと、１．０グラムの錘４ｃと、０．６グラムの錘４ａとを合わせた２．４グラム分だけ重量を増すことが出来ると共に、前述の第二実施例より１．２グラム軽くすることが出来る。また、前記ダーツ１はバレル３の内部３ａの最先端と最後端に重量が軽い弾性体スペーサー６ｂとスペーサー５ｂを配置したことにより、ダーツ１の重心位置をバレル３のほぼ中央へ移動させている。
【００３５】
続いて図1により、前記図５に示したダーツ１の重心位置をほとんど移動させないでその重量を軽くしたダーツ１について説明する。図１に示すこのダーツ１は前述の第一実施例と同様に、バレル３は円筒状に形成してあり、その内部３ａは内径がφ４．０ｍｍで、奥行きが３０．２ｍｍの貫通孔により中空に形成されている。前記中空に形成されたバレル３の内部３ａには、前記３個の錘４ａ、４ｄの任意な装填位置の一例として、ダーツ１の先端側に外径がφ３．０ｍｍで全長が１０．０ｍｍの圧縮コイルばねからなる１個の弾性体スペーサー６ｂが装填されている。その後端には外径がφ３．９ｍｍ、全長が２．９ｍｍで重量が０．６グラムの錘４ａが１個、その後端には同様に全長が５．９ｍｍで重量が１．２グラムの錘４ｄが１個、それぞれ比重１７．０のタングステン合金で形成され装填配置されている。更にその後端には外径がφ３．０ｍｍ、全長が１２．０ｍｍのプラスチックからなるスペーサー５ｃが装填されている。
【００３６】
従って、この２個の錘４ａ、４ｄを合わせた長さは８．８ｍｍであり、この長さと、これらの後端に装填されるスペーサー５ｃの長さ１２．０ｍｍとを加えた長さは２０．８ｍｍとなる。この２０．８ｍｍとバレル３の内部３ａの奥行き３０．２ｍｍとの差、即ち弾性体スペーサー６ｂが圧縮されながら装填される長さは９．４ｍｍとなる。この弾性体スペーサー６ｂが圧縮されながら装填される長さ９．４ｍｍに対して全長が１０．０ｍｍの前記弾性体スペーサー６ｂを圧縮させて装填することにより前記２個の錘４ａ、４ｄに対して反発力が付勢され、これらの錘４ａ、４ｄは装填位置を確実に保持することが出来る。また、これら長さが異なることで重量が異なる２個の錘４ａ、４ｄと１個のスペーサー５ｃと弾性体スペーサー６ｂとは前記雄ねじ２１、７１と雌ねじ３１、３２の螺合により着脱可能にバレル３の内部３ａへ装填されている。これにより、ダーツ１は前記０．６グラムの錘４ａと、１．２グラムの錘４ｄとを合わせた１．８グラム分だけ重量を増すことが出来ると共に、前述の図５で示したダーツ1より０．６グラム分だけ軽くすることが出来る。また、このダーツ１はバレル３の内部３ａの最先端と最後端に重量が軽い弾性体スペーサー６ｂとスペーサー５ｃを配置したことにより、ダーツ１の重心位置は前述の図５に示したダーツ１と同様に、前記バレル３のほぼ中央となる。
【００３７】
以上のように前記図５に示すこのダーツ１は、前記中空となったバレル３の内部３ａへ装填する複数の錘４ａ、４ｂ、４ｃの装填位置を、着脱可能に装填する弾性体スペーサー６ｂとスペーサー５ｂによって確実に保持することが出来ると共に、ダーツ１の全長を変えることなくその重量を、装填する複数の錘４ａ、４ｂ、４ｃの重量分だけ増やすことが出来る。また、前記弾性体スペーサー６ｂの装填位置は前記バレル３の内部３ａの最先端に限定されるものではなく、前記スペーサー５ｂの装填位置も同様に前記バレル３の最後端に限定されるものではない。これら弾性体スペーサー６ｂやスペーサー５ｂの装填位置は、例えば前記重量の異なる複数の錘４ａ、４ｂ、４ｃのいずれかの間に配置する。或いは、バレル３の内部３ａの最後端に弾性体スペーサー６ａを配置させ、最先端にスペーサー５ｂを配置させるなど、前記重量の異なる複数の錘４ａ、４ｂ、４ｃや弾性体スペーサー６ｂ、スペーサー５ｂの装填位置を変えることによりダーツ１の重心位置の微調整を容易に行うことが出来るので、前記微調整によって最適な重心位置のダーツ１を容易に得ることが出来る。更に、図１に示すダーツ１の如く、バレル３の内部３ａへ装填する前記３個の錘４ａ、４ｂ、４ｃを２個の錘４ａ、４ｄと交換し、且つ、これら交換した錘４ａ、４ｄの全長に合わせたスペーサー５ｃに交換することにより、容易にダーツ１の重量を変えることが出来ると共に、ダーツ１の重心位置は錘４の交換前とほぼ同じ位置を保つことも出来る。
【００３８】
従って、プレイヤーや競技者は、前記ダーツ１の重量の微調整と重心位置の微調整が同時に、且つ容易に行うことが出来ると共に、装填されたこれらの錘４ａ、４ｂ、４ｃ、４ｄがバレル３の内部３ａで移動することを確実に抑止することが出来るので、前記任意の重量が得られた所定の重量の３個の錘４ａ、４ｂ、４ｃ、或いは２個の錘４ａ、４ｄと、前記任意の重心位置が得られた所定の装填位置にスペーサー５ｂ、５ｃと弾性体スペーサー６ｂとを配置してバレル３の内部３ａへ装填することにより、最適な重量と最適で且つ安定した重心位置とを備えたダーツ１を容易に得ることが出来るので、従来のようにプレイヤーや競技者が最適な重量と重心位置を備えたダーツ１を探し当てるために、数多くの種類のダーツ１を実際に利用してみることが必要として、数多くのダーツ１を購入する。或いは他者から出来るだけ数多く借り受けるなどにより、多くの労力と経済的負担が必要になるといった問題も解消することが出来る。更に、プレイヤーや競技者にとって不要に全長が変わることなく最適な重量と重心位置とを備えたダーツ１を容易に入手することが出来ることにより、この最適なダーツ１を用いることで高得点が得やすくなるといった利点が生ずる。
【００３９】
以上、本実施例を詳述したが、本発明は、前記実施例に限定されるものではなく、本発明の要旨の範囲内で種々の変形実施が可能である。例えば、前記錘４ａ、４ｂ、４ｃ、４ｄを形成する材料は前記タングステン合金のほか、比重の異なる他の材料、例えば比重が概ね７．７のステンレス鋼や比重が概ね８．４のニッケル合金などを用いることで、同一形状でもそれぞれの錘４ａ、４ｂ、４ｃ、４ｄの重量を変更することが出来る。また、前記錘４ａ、４ｂ、４ｃ、４ｄの材料は前述のような金属に限らず、比重の重い充填材を含むプラスチックなど加工性と適度な比重を備えた材料でもよい。更に、それぞれの錘４ａ、４ｂ、４ｃ、４ｄの断面の一部に平面を形成する。或いは断面を多角形として平面部を形成し、錘４ａ、４ｂ、４ｃ、４ｄの転がりを防止するなどでもよい。また、前記スペーサー５ａ、５ｂ、５ｃを形成する材料は硬質ウレタンフォームやプラスチックに限らず、竹や木、紙などを加工した物でもよい。更に、このスペーサー５ａ、５ｂ、５ｃの形状は前記円柱形に限らず、その外周に突起を形成して前記バレル３の内壁３ｂと嵌合させることにより錘４ａ、４ｂ、４ｃ、４ｄの装填位置を確実に保持させるようにしてもよい。また、前記プラスチックや硬質ウレタンフォームで形成されたスペーサー５ａ、５ｂ、５ｃ、及び軟質ウレタンフォームで形成された弾性体スペーサー６ａなどの長さは、バレル３の内部３ａに装填される錘４の長さによってそれぞれ異なる所定の長さのスペーサー５ａ、５ｂ、５ｃや弾性体スペーサー６ａを用意するに限らず、予め所定の長さより長いスペーサー５ａ、５ｂ、５ｃや弾性体スペーサー６ａを用意しておき、プレイヤーや競技者が必要長さに切り分けて装填するなど、前記実施例に限定されるものではなく、使い易さを配慮して適宜選定すればよい。
【図面の簡単な説明】
【００４０】
【図１】本願発明による第三実施例に係る、バレルの内部へ重量の異なる２個の錘と１個のスペーサーと1個の弾性体スペーサーとを装填する前のダーツの組み立て構成を示すダーツの概観斜視図である。
【図２】本願発明の実施の形態を示すダーツの概観斜視図である。
【図３】本願発明の第一実施例に係る、バレルの内部へ重量の異なる４個の錘と１個のスペーサーとを装填したダーツの構成を示す断面図である。
【図４】本願発明の第二実施例に係る、バレルの内部へ重量の異なる４個の錘と１個の弾性体スペーサーとを装填したダーツの構成を示す断面図である。
【図５】本願発明の第三実施例に係る、バレルの内部へ重量の異なる３個の錘と１個のスペーサーと1個の弾性体スペーサーとを装填したダーツの構成を示す断面図である。
【符号の説明】
【００４１】
１          ダーツ
２          チップ
２１        雄ねじ
３          バレル
３１、３２  雌ねじ
３ａ        内部
３ｂ        内壁
４          錘
４ａ        タングステン合金で形成された重さ０．６グラムの錘
４ｂ        タングステン合金で形成された重さ０．８グラムの錘
４ｃ        タングステン合金で形成された重さ１．０グラムの錘
４ｄ        タングステン合金で形成された重さ１．２グラムの錘
５ａ        硬質ウレタンフォームからなるスペーサー
５ｂ、５ｃ  プラスチックからなるスペーサー
６ａ        軟質ウレタンフォームからなる弾性体スペーサー
６ｂ        圧縮コイルばねからなる弾性体スペーサー
７          シャフト
７１        雄ねじ
８          フライト
【図１】
2007202893.tif 000003
【図２】
2007202893.tif 000004
【図３】
2007202893.tif 000005
【図４】
2007202893.tif 000006
【図５】
2007202893.tif 000007